(57)【要約】【課題】汚れ難く、扱いやすいスポーツバッグを提供すること。 【解決手段】スポーツバッグは、用具の収納空間を規定する柔軟性のある筐体（２）と、強固な枠（４）とを備え、枠（４）は、筐体に取り付けられ、筐体の外側に配置され、２つの異なるポジション、即ち、第１ポジションと、第２ポジションとにおいて支持面（Ｓ）に置かれ、第１ポジションにおいて、枠（４）は、少なくとも３つの第１支持点により、支持面（Ｓ）に置かれ、第２ポジションにおいて、枠（４）は、少なくとも３つの第２支持点により、支持面（Ｓ）に置かれている。３つの第２支持点は、３つの第１支持点と全てが同じではない。  【選択図】図１
2019209151.tif 000002
【特許請求の範囲】
【請求項１】
用具の収納空間を規定する柔軟性のある筐体（２）を備えるスポーツバッグであって、
前記筐体に取り付けられ、前記筐体の外側に配置された強固な枠（４）を備え、
前記枠（４）は、２つの異なるポジション、即ち、第１ポジションと、第２ポジションとにおいて支持面（Ｓ）に置かれ、
前記第１ポジションにおいて、前記枠（４）は、少なくとも３つの第１支持点（４８Ａ２、４８Ｂ２、５２）により、前記支持面（Ｓ）に置かれ、
前記第２ポジションにおいて、前記枠（４）は、少なくとも３つの第２支持点（４８Ａ２、４８Ｂ２、４４）により、前記支持面（Ｓ）に置かれ、
前記３つの第２支持点（４８Ａ２、４８Ｂ２、４４）は、前記３つの第１支持点（４８Ａ２、４８Ｂ２、５２）と全てが同じではないことを特徴とするスポーツバッグ。
【請求項２】
請求項１に記載のスポーツバッグであって、
少なくとも前記第１ポジションにおいて、前記枠（４）は、前記支持面（Ｓ）から間隔を置いて前記柔軟性のある筐体（２）を維持することを特徴とするスポーツバッグ。
【請求項３】
請求項２に記載のスポーツバッグであって、
前記第１及び第２ポジションの両方において、前記枠（４）は、前記支持面（Ｓ）から間隔を置いて前記柔軟性のある筐体（２）を維持することを特徴とするスポーツバッグ。
【請求項４】
請求項１乃至３のいずれか１項に記載のスポーツバッグであって、
前記枠（４）は、２つの側方支柱（４２Ａ、４２Ｂ）を備え、前記側方支柱のぞれぞれは、前記筐体（２）の１つの側面（２Ａ、２Ｂ）に沿って配置され、前記側方支柱の端部のそれぞれは、分岐点（４６Ａ、４６Ｂ）を有し、前記分岐点から前記支持面（Ｓ）上の支持パッド（５２）に接続されたタブ（５０Ａ、５０Ｂ）と、前記支持面上で支持する脚部（４８Ａ、４８Ｂ）とが延びていることを特徴とするスポーツバッグ。
【請求項５】
請求項４に記載のスポーツバッグであって、
前記２つの分岐点（４６Ａ、４６Ｂ）から延びる前記２つのタブ（５０Ａ、５０Ｂ）は、前記３つの第１支持点（４８Ａ２、４８Ｂ２、５２）の１つを形成する同じパッド（５２）に接続されていることを特徴とするスポーツバッグ。
【請求項６】
請求項４又は５に記載のスポーツバッグであって、
前記脚部（４８Ａ、４８Ｂ）の自由端部（４８Ａ２、４８Ｂ２）は、前記第１及び／又は第２支持点（４８Ａ２、４８Ｂ２、４４、５２）のいくつかを形成することを特徴とするスポーツバッグ。
【請求項７】
請求項４乃至６のいずれか１項に記載のスポーツバッグであって、
使用者（Ｕ）が前記スポーツバッグを背負うことを可能にするストラップ（６２Ａ、６２Ｂ）を備え、前記脚部（４８Ａ、４８Ｂ）は、前記分岐点（４６Ａ、４６Ｂ）から前記支柱（４２Ａ、４２Ｂ）の前記ストラップと同じ側に延びていることを特徴とするスポーツバッグ。
【請求項８】
請求項２及び５に記載のスポーツバッグであって、
前記枠（４）の前記第１ポジションにおいて、前記パッド（５２）は、前記柔軟性のある筐体（２）と間隔を置いて前記柔軟性のある筐体の下に延びていることを特徴とするスポーツバッグ。
【請求項９】
請求項４乃至７のいずれか１項に記載のスポーツバッグであって、
前記枠（４）は、前記分岐点（４６Ａ、４６Ｂ）のそれぞれの反対側で前記側方支柱（４２Ａ、４２Ｂ）を接続するブリッジ（４４）を備え、前記ブリッジは、前記３つの第２支持点（４８Ａ２、４８Ｂ２、４４）の１つの形成することを特徴とするスポーツバッグ。
【請求項１０】
請求項１乃至９のいずれか１項に記載のスポーツバッグであって、
前記３つの第２支持点（４８Ａ２、４８Ｂ２、４４）の少なくとも１つ（４８Ａ２、４８Ｂ２）は、前記３つの第１支持点（４８Ａ２、４８Ｂ２、５２）の１つと同じであることを特徴とするスポーツバッグ。
【請求項１１】
請求項１乃至１０のいずれか１項に記載のスポーツバッグであって、
前記３つの第２支持点（４８Ａ２、４８Ｂ２、４４）の２つ（４８Ａ２、４８Ｂ２）は、前記３つの第１支持点（４８Ａ２、４８Ｂ２、５２）のいくつかと同じであることを特徴とするスポーツバッグ。
【請求項１２】
請求項１乃至１１のいずれか１項に記載のスポーツバッグであって、
前記枠（４）は、合成材料、特に、熱可塑性合成材料、金属、複合材料、又は、木材から形成されていることを特徴とするスポーツバッグ。
【請求項１３】
請求項９に記載のスポーツバッグであって、
前記枠（４）は、前記パッド（５２）と、前記ブリッジ（４４）とにおいて、それぞれが左側と右側とを形成する２つの部材のアセンブリにより製造されていることを特徴とするスポーツバッグ。
【請求項１４】
請求項１乃至１２のいずれか１項に記載のスポーツバッグであって、
前記枠（４）は、一体的に形成されていることを特徴とするスポーツバッグ。
【発明の詳細な説明】
【技術分野】
【０００１】
本発明はスポーツバッグに関する。
【背景技術】
【０００２】
多くのスポーツでは、運動活動の練習は、１つ又は複数のアクセサリーを必要とする。これらのアクセサリーは、練習場所に持って行かれ、そこで使用される。その後、これらのアクセサリーは、持ち帰られ、次の練習まで保管される。そのために、スポーツバッグを使用することが知られている。ほとんどのスポーツバッグは、簡単に運ぶことのできる柔軟性のある合成材料からなる筐体により作られていることが知られている。例えば、テニスでは、選手のラケット及びボールをスポーツバッグに収納し、これらの用具をこのスポーツバッグでコートに持って行くことが知られている。バドミントン、パドルボールのような他のラケットスポーツ、並びに、ブーツライナ及びハーネスがバッグでルートの出発点に運ばれる登山において、同じアプローチが知られている。
【発明の概要】
【発明が解決しようとする課題】
【０００３】
スポーツが練習される場所は、時々、濡れている、又は、泥があることから、これらのバッグは、直ぐに汚れてしまう傾向にある。このような汚れは、雨の後の泥のテニスコート、又は、登山ルートへのアクセス径路で生じることがある。結果として、スポーツ選手のバッグは、汚れており、あまり綺麗ではなく、特に、プロの選手にとっては、衛生学的又はイメージ的に良くない、若しくは、器具に対する配慮という面で教育学的に良くない。
【０００４】
本発明は、特に、新たなスポーツバッグを提案することにより、このような欠点を解決することを目的としている。新たなバッグは、既知のバッグよりも汚れ難く、扱いやすい。
【課題を解決するための手段】
【０００５】
上記目的を達成するために、本発明はスポーツバッグに関する。スポーツバッグは、用具の収納空間を規定する柔軟性のある筐体を備える。このスポーツバッグは、筐体に取り付けられ、筐体の外側に配置された強固な枠を備える。枠は、２つの異なるポジション、即ち、第１ポジションと、第２ポジションとにおいて支持面に置かれ、第１ポジションにおいて、枠は、少なくとも３つの第１支持点により支持面に置かれ、第２ポジションにおいて、枠は、少なくとも３つの第２支持点より支持面に置かれ、３つの第２支持点は、３つの第１支持点と全てが同じではない。
【０００６】
本発明の別の態様によると、スポーツバッグは、技術的に可能な組み合わせに基づき、以下の特徴の１つ以上を備えることができる。
‐少なくとも第１ポジション、及び、好ましくは、両方のポジションにおいて、枠は、支持面から間隔を置いて柔軟性のある筐体を維持する：
‐枠は、２つの側方支柱を備え、２つの側方支柱のそれぞれは、筐体の１つの側面に沿って配置され、側方支柱の端部のそれぞれは、分岐点を有し、分岐点から支持面上の支持パッドに接続されたタブと、支持面上で支持する脚部とが延びている：
‐２つの分岐点から延びる２つのタブは、３つの第１支持点の１つを形成する同じパッドに接続されている：
‐脚部の自由端部は、第１及び／又は第２支持点のいくつかを形成する：
‐スポーツバッグは、ストラップを備え、これにより、使用者は、スポーツバッグを背中に背負うことができ、脚部は、支柱のストラップと同じ側で分岐点から延びている：
‐枠の第１ポジションにおいて、パッドは、柔軟性のある筐体と間隔を置いて柔軟性のある筐体の下に延びている：
‐枠は、分岐点のそれぞれの反対側で側方支柱を接続するブリッジを備え、ブリッジは、３つの第２支持点の１つを形成する：
‐３つの第２支持点の少なくとも１つ、好ましくは、２つは、３つの第１支持点の１つ又はいくつかと同じである：
‐枠は、合成材料、特に、熱可塑性合成材料、金属、複合材料、又は、木材から形成されている：
‐枠は、パッドと、ブリッジとにおいて、それぞれが左側と右側とを形成する２つの部材のアセンブリにより製造されている：
‐変形例によると、枠（４）は一体的に形成されている。
【発明の効果】
【０００７】
このような発明によると、外部枠により、柔軟性のある筐体を埃から保護し、選手の望むように収納空間へのアクセスを確保しつつ、枠の２つのポジションの一方において、枠を支持面、例えば、地面に置くことができる。これは、スポーツ選手の希望と一致する。実際には、枠の２つのポジションで使用されている３つの支持点は、支持面に置かれる。これにより、支持面から間隔を置いて柔軟性のある筐体を維持することができ、これらの２つのポジションにおいて、バッグに良好な安定性を与えることができる。例えば、テニスバッグでは、枠が第１ポジションに置かれていると、選手は、チャックを数センチ開けることにより、ラケットを上から収納空間に入れることができる。更に、枠が第２ポジションに置かれていると、スーツケースのように柔軟性のある筐体のフラップを取り外すように、チャックを完全に開けることにより、バッグの中身に手が届く。枠の第２ポジションにおいて、収納空間により簡単に手が届き、これにより、選手は、用具を丁寧に収納することができる。
【図面の簡単な説明】
【０００８】
添付の図面に基づく単なる例である以下の説明により、本発明は、より理解され、その他の効果も明らかになる。
【図１】図１は、第１ポジションに枠を有し、外側にテニスラケットを有し、地面に置かれた本発明のスポーツバッグの斜視図である。
【図２】図２は、テニスラケットを有していない同じスポーツバッグの斜視図である。
【図３】図３は、同じスポーツバッグの別の角度からの斜視図である。
【図４】図４は、図１乃至３に示されたバッグの側面図である。
【図５】図５は、使用者が図１乃至４に示されたバッグを背負うときの概略背面図である。
【図６】図６は、図１乃至４に示されたバッグの枠の斜視図である。
【図７】図７は枠の側面図である。
【図８】図８は枠の正面図である。
【発明を実施するための形態】
【０００９】
図に示されたバッグ１は、ラケット、ボール、リストバンド、予備のガット、衛生用品、シューズ、ジャージ等のテニス選手の備品を収納するように設けられている。
【００１０】
このバッグ１は、柔軟性のある筐体２を備える。この筐体２は、ポリアミド又はナイロン（登録商標）などの合成材料からなることが好ましく、備品のための収納空間を規定する。この空間を単一区画又は複数区画とすることができる。この柔軟性のある筐体２を、布、ネット、光沢のある不織布膜、又は、他の適切な材料から形成することができる。柔軟性のある筐体２には、チャック２２が設けられている。このチャック２２は収納空間に届くように開く。
【００１１】
柔軟性のある筐体２は、縦軸Ｘ２に沿って延びている。この縦軸Ｘ２は、この枠の最長寸法に平行であり、この寸法に直交するこの枠の中心部分を通過する。
【００１２】
以下に、図１乃至４を参照し、バッグ１の面について記載する。ここでは、軸Ｘ２は全体的に垂直である。全体的に垂直とは、この軸が３０°以内で垂直であることを意図する。この構造では、バッグの上面は、これらの図の上面を向いており、バッグの底面は、これらの図の底面を向いている。図１乃至３、５において、バッグ１の左側が見え、図４において、バッグ１の右側が見える。バッグ１の前面は、図３に示されたストラップが設けられた面である。バッグ１の後面は、図１、２に示された面である。柔軟性のある筐体２の面は、同じ方法で見分けられる。
【００１３】
バッグ１は外部枠４を備える。外部枠４は、柔軟性のある筐体２の外側で柔軟性のある筐体２に固定されている。実際には、柔軟性のある筐体２及び外部枠４を溶着又は接着することができる。変形例によると、これらを、ループとフックとの可逆的システム、ベルクロ（登録商標）で固定することもでき、又は、スナップ止めすることもできる、永久的又可逆的な部品２、４を固定する他の方法も利用することができる。
【００１４】
枠は、合成材料、好ましくは、熱可塑性合成材料からなる。このような材料は、例えば、ポリエチレン（ＰＥＴ）又はポリアミド（ＰＡ）である。枠４を作るために使用される合成材料を、押し出し成形、圧縮成形、射出成形、成形、熱成形、又は、３Ｄ印刷することができる。変形例によると、枠４を、アルミニウムのような金属、又は、合成マトリックスと強化繊維との複合材料から作ることもできる。
【００１５】
枠４は、２つの側方支柱、即ち、外側から柔軟性のある筐体２の左側２Ａに近接する左側支柱４２Ａと、外側から柔軟性のある筐体２の右側２Ｂに近接する右側支柱４２Ｂとを備える。これらの２つの支柱は、図に示された構成において、柔軟性のある筐体の上に延びるブリッジ４４により接続されている。
【００１６】
左側支柱４２Ａは、分岐点４６Ａを備える。この分岐点４６Ａは、ブリッジ４４の反対側で、左側支柱４２Ａを脚部４８Ａと、タブ５０Ａとに分割する。これらの脚部４８Ａと、タブ５０Ａとは、角度Ａ４を規定する。これらの間の角度Ａ４は、８０°〜１１０°の間であり、好ましくは、約１００°である。脚部４８Ａは、図１乃至４に示されたポジションに設けられ、分岐点４６Ａの反対側の自由端部４８Ａ２により、支持面、特に、地面に置かれる。タブ５０Ａは、分岐点４６Ａから離れる方向へ支柱４２Ｂに向かって、タブ５２まで延びている。タブ５２は、図１乃至４の構成において、地面に支持されるように設けられている。
【００１７】
右側支柱４２Ｂは、分岐点４６Ｂを備える。分岐点４６Ｂは、ブリッジ４４の反対側で右側支柱４２Ｂを脚部４８Ｂと、タブ５０Ｂとに分割する。脚部４８Ｂは、図１乃至４に示されたポジションに設けられ、分岐点４８Ｂの反対側の自由端部４８Ｂ２により、支持面、特に、地面に置かれる。タブ５０Ｂは、分岐点４８Ｂから離れる方向へ支柱４２Ａに向かって、タブ５２まで延びている。
【００１８】
側方支柱は、軸Ｘ２に平行であることが好ましい。
【００１９】
枠４は、分岐点４６Ａ、４６Ｂに対して等距離であり、これらの分岐点の間を通過する面Ｐ４に対称であることが好ましい。
【００２０】
支柱４２Ａ、４２Ｂ、ブリッジ４４、タブ５０Ａ、５０Ｂ、及び、パッド５２は、図６、８に示されたような閉じたリングを形成する。柔軟性のある筐体２は、このリング内に取り付けられている。
【００２１】
枠は、２つの部材のアセンブリにより製造されている。２つの部材は、それぞれ、枠の左側と右側とを形成する。２つの部材は、部分４２Ａ、４６Ａ、４８Ａ、５０Ａを備える左部材と、部分４２Ｂ、４６Ｂ、４８Ｂ、５０Ｂを備える右部材との間で、ブリッジ４４と、パッド５２とで組立てられている。この製造方法により、組立の前に、左部材と、右部材との搬送を容易にすることができる。
【００２２】
変形例によると、特に、３Ｄ印刷により作られる場合は、枠４を一体的に形成することができる。
【００２３】
図１乃至４に示されたポジションでは、自由端部４８Ａ２、４８Ｂ２と、パッド５２とは、支持面Ｓに対する、枠４、即ち、スポーツバッグ１の３つの支持点を形成する。支持面Ｓ上の枠４の支持点の数は、３以上であることから、第１ポジションは安定している。
【００２４】
このポジションにおいて、パッド５２は、柔軟性のある筐体２の下方に間隔を置いて配置されている。従って、この筐体は、面Ｓから離れ、面Ｓが泥状だとしても汚くなる危険性がない。
【００２５】
バッグ１と、枠４とのポジションにおいて、選手は、チャック２２を比較的小さく開けることにより、筐体２の内部収納空間にアクセスできる。これにより、選手は、例えば、ラケット又はボールをこの収納空間に入れることができる。
【００２６】
また、脚部４８Ａ、４８Ｂの自由端部４８Ａ２、４８Ｂ２を繋ぐ仮想軸周りにスポーツバッグ１を傾斜させ、ブリッジ４４が地面に置かれるまで、図３、４の矢印Ｆ１方向へ支持面Ｓの近くにブリッジ４４を動かすことにより、選手は、スポーツバッグ１を図１乃至４に示されたポジションに対して横にすることができる。バッグ１と、枠４との第２ポジション（図示せず）において、枠は、脚部４８Ａ、４８Ｂの自由端部４８Ａ２、４８Ｂ２と、ブリッジ４４とにより、地面に置かれる。支持面Ｓに対するこの枠４の支持点の数は、３以上であることから、第２ポジションもまた安定している。ここでは、枠４の支持点は、部分４８Ａ２、４８Ｂ２、４４により形成されている。
【００２７】
第２ポジションにおいて、軸Ｘ２は、全体的に水平、即ち、３０°以内で水平である。
【００２８】
この第２ポジションにおいて、スポーツバッグ１の上部、即ち、図２に示された筐体２の後部にあるものにより、筐体２の内部の収納空間にアクセスできる。柔軟性のあるスーツケースのようにチャックを大きく開くこともできる。これにより、柔軟性のある筐体２の後部に形成されたフラップを取り外すことができ、筐体２の内部へのアクセスが容易になる。
【００２９】
柔軟性のある筐体２には、ストラップ６２Ａ、６２Ｂが取り付けられている。これらのストラップにより、使用者Ｕは、バッグを背負うことができる。分岐点４６Ａ、４６Ｂに対して、ストラップ６２Ａ、６２Ｂは、脚部４８Ａ、４８Ｂと同じ側に設けられている。従って、使用者がバッグ１を背負うと、脚部４８Ａ、４８Ｂは、使用者を邪魔することなく、使用者の腰の両側に配置される。
【００３０】
タブ５０Ａ、５０Ｂ、パッド５２は、使用者を邪魔することなく、使用者の背中、又は、臀部に配置される。
【００３１】
第２ポジションにおいて、枠は、支持面Ｓから間隔を置いて柔軟性のある筐体２を維持する。ストラップ６２Ａ、６２Ｂのみが面Ｓに接する。
【００３２】
図５のみに示された本発明の別の態様によると、スポーツバッグ１にはベルト６４が取り付けられている。
【００３３】
本発明の別の態様によると、柔軟性のある筐体２は、図１、２に示された裏面で、ループ２４を支持する。ループ２４は、柔軟性のある筐体２の外側でラケット６の支持部材を形成する。これにより、チャックを開け、柔軟性のある筐体２内にラケット６を収納することなくラケット６を運ぶことができる。
【００３４】
本発明の変形例（図示せず）によると、柔軟性のある筐体２には、外側ポケットが設けられても良い。
【００３５】
ブリッジ４４及び／又はパッド５２は、スポーツバッグ１の取っ手として構成されていることが有益である。これら部材の一方又は他方は、エラストマの層により覆われていても良い。
【００３６】
本発明の別の変形例（図示せず）によると、支持面Ｓに対する枠４の支持点の数を、この枠の第１及び第２ポジションの１つにおいて、又は、これらの両方のポジションにおいて、４以上とすることができる。この場合、第１ポジションにおける枠４の支持点の数は４である。
【００３７】
変形例によると、スポーツバッグ１は、テニスバッグに限定されず、他のスポーツ、例えば、バドミントン、パドルボール、又は、登山のためのバッグにすることもできる。
【００３８】
上記した実施例及び変形例を組み合わせることもできる。
【図１】
2019209151.tif 000003
【図２】
2019209151.tif 000004
【図３】
2019209151.tif 000005
【図４】
2019209151.tif 000006
【図５】
2019209151.tif 000007
【図６】
2019209151.tif 000008
【図７】
2019209151.tif 000009
【図８】
2019209151.tif 000010
【外国語明細書】
2019209151000001.pdf
2019209151000002.pdf
2019209151000003.pdf
2019209151000004.pdf